(57)【要約】      （修正有）【課題】  フォイルがスクリーンに接触してもスクリーンの損傷を軽減することができるスクリーン装置を提供する。【解決手段】スクリーン装置Ａは、製紙原料を受け入れる槽３と、この槽３を一次室３Ａと二次室３Ｂに仕切るスクリーン１と、一次室３Ａに連通した製紙原料供給通路４と、一次室３Ａに連通した異物排出通路５と、二次室３Ｂに連通した製紙原料排出通路６と、一次室３Ａに設けられ回転軸３１に接続された製紙原料を攪拌する長手形状の複数のフォイル２３と、フォイル２３の端部に取り付けられた端部リングＲＴと、端部リングＲＴに取り付けられ、スクリーン１に向かうように設けられた突出部と、スクリーン１は製紙原料を通過させる複数の開口部を有し、突出部と対向するスクリーン１には閉塞部１２が対向するように配置すると共に突出部とスクリーン１との間隔をフォイル２３とスクリーン１との間隔より小さくなるように設ける。【選択図】図１
2006089874.tif 000002
【特許請求の範囲】
【請求項１】
製紙原料を受け入れる槽と、
この槽を一次室と二次室に仕切るスクリーンと、
前記槽の前記一次室に連通して前記槽に前記製紙原料を供給する製紙原料供給通路と、
前記一次室に連通し、前記スクリーンを通過しない異物を含む前記製紙原料を前記槽の外へ排出する異物排出通路と、
前記二次室に連通し、前記スクリーンを通過した前記製紙原料を前記槽の外へ排出する製紙原料排出通路と、
前記スクリーンの外側である前記一次室に設けられると共に、回転軸に接続された円盤状部材と、
この円盤状部材より垂下して設けられ、前記一次室内の前記製紙原料を攪拌する長手形状の複数のフォイルと、
この複数のフォイルの外側に位置し、前記フォイルの端部に取り付けられた端部リングと、
前記端部リングに取り付けられ、前記端部リングより突出し、前記スクリーンに向かうように設けられた突出部と、
前記スクリーンは前記製紙原料を通過させる複数の開口部を有し、
前記突出部と対向する前記スクリーンには前記開口部でない閉塞部が対向するように配置すると共に前記突出部と前記スクリーンとの間隔ｔを前記フォイルと前記スクリーンとの間隔Ｔより小さくなるように設けている
ことを特徴とするスクリーン装置。
【請求項２】
フォイルは、端部リングにスペーサを介してボルトで固定されている
ことを特徴とする請求項１記載のスクリーン装置。
【請求項３】
フォイルの長手方向の中途であって前記フォイルの外側に位置する中途リングと、
前記フォイルは、前記中途リングにスペーサを介してボルトで固定されている
ことを特徴とする請求項１又は請求項２記載のスクリーン装置。
【請求項４】
フォイルは、円盤状部材より垂下する垂下部にスペーサを介してボルトで固定されている
ことを特徴とする請求項１、２又は３記載のスクリーン装置。
【発明の詳細な説明】
【技術分野】
【０００１】
本発明は、スクリーン装置に係り、特に、フォイルがスクリーンに接触してもスクリーンの損傷を軽減することができるスクリーン装置に関する。
【背景技術】
【０００２】
スクリーン装置にあっては、スクリーンの外側にフォイルが位置し、フォイルにより製紙原料を攪拌し、製紙原料中の良繊維はスクリーンを通過し、製紙原料中の異物はスクリーンを通過しないようにして選別を行うようにしている（例えば、特許文献１参照）。
【特許文献１】実公昭５４−３０４０３号公報（第３図参照）
【発明の開示】
【発明が解決しようとする課題】
【０００３】
上述したスクリーン装置（紙料等の精製装置）にあっては、円盤状部材［実公昭５４−３０４０３号公報記載の回転板（１３）］より垂下する長手形状のフォイル［実公昭５４−３０４０３号公報記載の羽根部材（１２）］の動バランス、紙料等の液体の乱流等により、フォイルが変形しスクリーンに接触する。フォイルがスクリーンに接触すると、フォイルが損傷したり、また、特に、フォイルとスクリーンとの接触部位が強度的に弱いスクリーンのスリット等の開口部付近であると、スクリーンが大きく損傷し、スクリーン装置の精選効率を低下させると共に、フォイル、スクリーンが損傷した場合、フォイル、スクリーンの脱着が容易でないという問題点が生じた。
本発明は、上述した問題点を除去するようにしたスクリーン装置を提供するものである。
【課題を解決するための手段】
【０００４】
前記した目的を達成するための本発明のスクリーン装置は、製紙原料を受け入れる槽と、この槽を一次室と二次室に仕切るスクリーンと、前記槽の前記一次室に連通して前記槽に前記製紙原料を供給する製紙原料供給通路と、前記一次室に連通し、前記スクリーンを通過しない異物を含む前記製紙原料を前記槽の外へ排出する異物排出通路と、前記二次室に連通し、前記スクリーンを通過した前記製紙原料を前記槽の外へ排出する製紙原料排出通路と、前記スクリーンの外側である前記一次室に設けられると共に、回転軸に接続された円盤状部材と、この円盤状部材より垂下して設けられ、前記一次室内の前記製紙原料を攪拌する長手形状の複数のフォイルと、この複数のフォイルの外側に位置し、前記フォイルの端部に取り付けられた端部リングと、前記端部リングに取り付けられ、前記端部リングより突出し、前記スクリーンに向かうように設けられた突出部と、前記スクリーンは前記製紙原料を通過させる複数の開口部を有し、前記突出部と対向する前記スクリーンには前記開口部でない閉塞部が対向するように配置すると共に前記突出部と前記スクリーンとの間隔ｔを前記フォイルと前記スクリーンとの間隔Ｔより小さくなるように設けているものである。
【０００５】
また、請求項２記載のスクリーン装置は、請求項１記載のスクリーン装置において、フォイルは、端部リングにスペーサを介してボルトで固定されているものである。
【０００６】
また、請求項３記載のスクリーン装置は、請求項１又は請求項２記載のスクリーン装置において、フォイルの長手方向の中途であって前記フォイルの外側に位置する中途リングと、前記フォイルは、前記中途リングにスペーサを介してボルトで固定されているものである。
【０００７】
また、請求項４記載のスクリーン装置は、請求項１、２又は３記載のスクリーン装置において、フォイルは、円盤状部材より垂下する垂下部にスペーサを介してボルトで固定されているものである。
【発明の効果】
【０００８】
請求項１記載のスクリーン装置によれば、回転するフォイルが製紙原料により変形し、スクリーンに接触しようとするが、突出部とスクリーンとの間隔ｔをフォイルとスクリーンとの間隔Ｔより小さくなるように設けているため、突出部がスクリーンに接触し、フォイルがスクリーンに接触するのを防止することができ、しかも、突出部がスクリーンに接触する部位はスクリーの開口部でない閉塞部のため、強度的に開口部より大きいため、スクリーンの損傷も小さい。
【０００９】
また、請求項２記載のスクリーン装置によれば、前述した請求項１記載の発明の効果に加え、フォイルは、端部リングにスペーサを介してボルトで固定されているため、スペーサの厚みを変えることにより、フォイルとスクリーンとの間隔の微調整を容易に行うことができる。
【００１０】
また、請求項３記載のスクリーン装置によれば、前述した請求項１又は請求項２記載の発明の効果に加え、長手形状のフォイルを中途で中途リングにより補強すると共に、微調整はスペーサの厚みを変えることにより容易に行うことができる。
【００１１】
また、請求項４記載のスクリーン装置によれば、前述した請求項１〜３記載の発明の効果に加え、フォイルは、円盤状部材より垂下する垂下部にスペーサを介してボルトで固定されているため、微調整はスペーサの厚みを変えることにより容易に行うことができると共に、フォイルが損傷した場合、ボルトの脱着により、損傷したフォイルを容易に交換することができる。
【実施例】
【００１２】
本発明の一実施例のスクリーン装置を図面を参照して説明する。
図１乃至図８において、Ａはスクリーン装置で、スクリーン装置Ａは、スクリーン１の外側に対向して設けられた攪拌部材２の回転により、製紙原料をスクリーン１に供給して、繊維と異物を選別すると共に、スクリーン１の目洗い作用を行って、継続的に製紙原料から異物を除去することができるようになっている。
【００１３】
スクリーン１と攪拌部材２は、製紙原料を受け入れる槽３内に設けられている。槽３は、スクリーン１により一次室３Ａと二次室３Ｂに仕切られている。槽３には、製紙原料を受け入れる供給口３ａと、スクリーン１を通過した製紙原料を槽３の外へ排出する製紙原料排出口３ｂと、スクリーン１を通過しない異物を含む製紙原料を槽３の外へ排出する異物排出口３ｃとを有する。
４は、槽３の一次室３Ａに連通して槽３に製紙原料を供給する製紙原料供給通路で、５は、一次室３Ａに連通し、スクリーン１を通過しない異物を含む製紙原料を槽３の外へ排出する異物排出通路で、６は、二次室３Ｂに連通し、スクリーン１を通過した製紙原料を槽３の外へ排出する製紙原料排出通路である。
【００１４】
スクリーン１は、例えば、円筒形状の側面に製紙原料を通過させる複数の開口部１１［開口部１１は、例えば、丸孔、スリット（例えば、細長い長方形状の隙間）、棒状の長手形状部材を隙間（長手形状の隙間）を有して環状に並設した場合の隙間］を有したもので、天井部１２を閉塞すると共に底面部１３を開放して槽３内に立設して固定されている。
【００１５】
また、攪拌部材２は、スクリーン１の外側である一次室３Ａに設けられ、例えば、槽３内に設けられた回転軸３１に接続された円盤状部材２１（円盤状部材２１は、スクリーン１の天井部１２より高い位置に支持されている。）と、この円盤状部材２１より垂下して設けられ、一次室３Ａ内の製紙原料を攪拌する長手形状の複数のフォイル２３とを有する。フォイル２３は複数で、例えば、本実施例では、８個であり、また、フォイル２３は円盤状部材２１の下方に垂下する垂下部（鍔部）２２に接続されるようになっている
フォイル２３をスクリーン１に対向するようにスペーサ２４を介して垂下部２２に固定するボルト２５とを有している。フォイル２３とスクリーン１との間隔がＴ（図５参照）となるように、スペーサ２４の厚みを変えて微調整する。
なお、ボルト２５で固定する際、少なくとも、フォイル２３と垂下部２２には、ボルト２５の雄ねじに螺合する雌ねじが設けられている。そして、攪拌部材２は、図示しないモーターから動力伝達部材７（例えば、ベルト）を介して回転するようになっている。
【００１６】
従って、スクリーン１に対向するように設けるフォイル２３を従来のような溶接ではなく、ボルト（例えば、第１のボルト２５）によるため、従来生じていた溶接による変形もなくフォイル２３をスクリーン１に所定間隔を保って取り付けることができ、しかも、微調整はスペーサ（例えば、スペーサ２４）の厚みを変えることにより容易に行うことができ、更に、フォイル２３が損傷した場合、ボルト（例えば、ボルト２５）の脱着により、容易に交換することができる。
【００１７】
Ｒは、フォイル２３の長手方向の中途であってフォイル２３の外側に位置する中途リングで、中途リングＲは、例えば、複数（本実施例では、３個）設けられている。２６は
スペーサ２７を介して中途リングＲにフォイル２３を固定するボルトである。
なお、ボルト２６で固定する際、少なくとも、フォイル２３と中途リングＲには、ボルト２６の雄ねじに螺合する雌ねじが設けられている。
従って、長手形状のフォイル２３を中途で中途リングＲにより補強すると共に、微調整はスペーサ（例えば、スペーサ２７）の厚みを変えることにより容易に行うことができ、更に、フォイル２３が損傷した場合、ボルト（例えば、ボルト２６）の脱着により、容易に交換することができる。
【００１８】
また、ＲＴはフォイル２３の端部に取り付けられた端部リングで、端部リングＲＴは
、複数のフォイル２３の外側に位置している。
２７はスペーサ２８を介して端部リングＲＴにフォイル２３を固定するボルトである。そして、ボルト２７で固定する際、少なくとも、フォイル２３と端部リングＲＴには、ボルト２７の雄ねじに螺合する雌ねじが設けられている。
９は、端部リングＲＴに取り付けられる突出部で、突出部９は端部リングＲＴより突出し、スクリーン１に向かうように設けられている。突出部９は、例えば、図７に示すように、概略的に舌の形状をなし、ボルト２９により、端部リングＲＴに取り付けられている。
そして、突出部９と対向するスクリーン１には開口部１１でない閉塞部が対向するように配置すると共に突出部９とスクリーン１との間隔ｔ［間隔ｔは、例えば、約０．５ｍｍ〜約１．５ｍｍ（図８参照）］をフォイル２３とスクリーン１との間隔Ｔ［間隔Ｔは、例えば、約１．５ｍｍ〜約３ｍｍ（図５参照）］より小さくなるように設けている。なお、突出部９に設けた開口部９１は、長孔となつており突出部９の突出量の微調整ができるようになっている。
従って、攪拌部材２の動バランス、紙料等の液体の乱流等により、フォイル２３が変形、振れが生じ、スクリーン１に接触又は接触しようとするが、突出部９とスクリーン１との間隔ｔをフォイル２３とスクリーン１との間隔Ｔより小さくなるように設けているため、突出部９がスクリーン１に接触し、フォイル２３がスクリーン１に接触するのを防止することができ、しかも、突出部９がスクリーン１と接触する部位はスクリー１の開口部１１でない閉塞部１２（図８参照）のため、強度的に開口部１１より大きいため、スクリー１の損傷も小さい。
【００１９】
なお、攪拌部材２が回転（回転方向を図５に矢印で示す。）すると、フォイル２３の前部ではスクリーン１に対して加圧を生じさせ（図５参照）、また、攪拌部材２の後部では、逆に、スクリーン１に対して負圧になり、製紙原料が二次室３Ｂから一次室３Ａへと、逆流し、スクリーン１の開口部１１を洗うスクリーン目洗いの作用を行って、開口部１１に繊維原料中の異物、繊維等の詰まらないようにして、継続的に製紙原料から異物を除去することができるようになっている。
そして、スクリーン１を通過した製紙原料は、製紙原料排出通路６により槽３の外へと排出され、また、スクリーン１を通過しない異物を含む製紙原料は、異物排出通路５より槽３の外へと排出されることとなる。
【図面の簡単な説明】
【００２０】
【図１】図１は、本発明の一実施例のスクリーン装置の概略的断面図である。
【図２】図２は、図１の２−２線による概略的断面図である。
【図３】図３は、図１の攪拌部材の概略的断面図である。
【図４】図４は、図２の攪拌部材のみを拡大して示す概略的拡大断面図である。
【図５】図５は、図４の一部を拡大して示す概略的一部拡大断面図である。
【図６】図６は、図１のフォイルと中途リングの関係を説明するための概略的分解斜視図である。
【図７】図７は、図１のフォイルと端部リングの関係を説明するための概略的分解斜視図である。
【図８】図８は、図１の一部を拡大して示す概略的一部拡大断面図である。
【符号の説明】
【００２１】
Ａ      ・・・・・スクリーン装置
１      ・・・・・スクリーン
３      ・・・・・槽
３Ａ    ・・・・・一次室
３Ｂ    ・・・・・二次室
４      ・・・・・製紙原料供給通路
５      ・・・・・異物排出通路
６      ・・・・・製紙原料排出通路
９      ・・・・・ 突出部
２１    ・・・・・円盤状部材
２３    ・・・・・フォイル
【図１】
2006089874.tif 000003
【図２】
2006089874.tif 000004
【図３】
2006089874.tif 000005
【図４】
2006089874.tif 000006
【図５】
2006089874.tif 000007
【図６】
2006089874.tif 000008
【図７】
2006089874.tif 000009
【図８】
2006089874.tif 000010